(57)【要約】      （修正有）【課題】屋根葺き替え工事において、連続状屋根受け具及びその取付構造は、既設母屋の保護、火気厳禁、騒音防止を考慮して施工することができること。【解決手段】長手方向に長尺な断面門形の支持材１と、該支持材１の適宜の間隔をおいて固着した少なくとも３山以上の山形状受け具２と、前記支持材１を既設母屋１０に抱くように取り付けるＵ字状ボルト３とからなること。適宜の位置の前記山形状受け具２個所の幅方向両側に設けられた貫孔４に、前記既設母屋１０を抱くようにして前記Ｕ字状ボルト３の両端のネジ部３ｂ，３ｂが挿入されてナット３ｃ，３ｃにて締付け固定されている。【選択図】図１
2007218033.tif 000002
【特許請求の範囲】
【請求項１】
長手方向に長尺な断面門形の支持材と、該支持材の適宜の間隔をおいて固着した少なくとも３山以上の山形状受け具と、前記支持材を既設母屋に抱くように取り付けるＵ字状ボルトとからなり、適宜の位置の前記山形状受け具個所の幅方向両側に設けられた貫孔に、前記既設母屋を抱くようにして前記Ｕ字状ボルトの両端のネジ部が挿入されてナットにて締付け固定されることを特徴とする連続状屋根受け具。
【請求項２】
請求項１において、前記既設母屋を方形状とし、該既設母屋の幅よりも、前記支持材の断面門形の間を僅かに大きくなるようにしてなることを特徴とする連続状屋根受け具。
【請求項３】
長手方向に長尺な断面門形の支持材と、該支持材の適宜の間隔をおいて固着した少なくとも３山以上の山形状受け具と、前記支持材に取り付けるＵ字状ボルトとからなる連続状屋根受け具が既設母屋上に載置され、適宜の位置の前記山形状受け具個所の幅方向両側に設けられた貫孔に、前記既設母屋を抱くようにして前記Ｕ字状ボルトの両端のネジ部が挿入されてナットにて締付けられ前記連続状屋根受け具が既設母屋上に固定されてなることを特徴とする連続状屋根受け具取付構造。
【請求項４】
請求項３において、前記支持材の断面門形の垂下片間で且つ前記Ｕ字状ボルト個所であると共に、前記支持材と前記既設母屋との間に板片スペーサが介在されてなることを特徴とする連続状屋根受け具取付構造。
【請求項５】
請求項４において、前記板片スペーサと前記構造材との間に角材片スペーサを介在してなることを特徴とする連続状屋根受け具取付構造。
【発明の詳細な説明】
【技術分野】
【０００１】
本発明は、屋根葺き替え工事において、既設母屋の保護、火気厳禁、騒音防止を考慮して施工することができる連続状屋根受け具及びその取付構造に関する。
【背景技術】
【０００２】
従来より、スレート屋根が存在する場合、その屋根をそのままにして覆うようにして新設の屋根板材を葺き替える改修屋根を施工する場合と、その屋根の屋根板材のみを剥がして、母屋はそのまま使用するようにして新設の屋根板材を葺き替える改修屋根が存在している。
【特許文献１】特開２００１−１４０４１１号公報
【発明の開示】
【発明が解決しようとする課題】
【０００３】
しかるに、そのスレート屋根が存在する現場が、公共の場（例えば、駅のホーム、学校又は病院などに付帯する施設等）では、騒音厳禁であると共に、火気も厳禁とされていることが多い。さらに、旧屋根板材を剥がした後の、母屋などの構造材の現状維持の方針の基に施工を要求されることもある。また、連続状屋根受け具としては引用文献１に示すように存在しているが、無溶接で、既設母屋の保護、火気厳禁、騒音防止を考慮しての製品は存在しない。
【０００４】
このため、本発明が解決しようとする課題（技術的課題又は目的等）は、屋根葺き替え工事において、既設母屋の保護、火気厳禁、騒音防止を考慮して施工することができる連続状屋根受け具及びその取付構造を実現することである。
【課題を解決するための手段】
【０００５】
そこで、発明者は上記課題を解決すべく鋭意，研究を重ねた結果、請求項１の発明を、  長手方向に長尺な断面門形の支持材と、該支持材の適宜の間隔をおいて固着した少なくとも３山以上の山形状受け具と、前記支持材を既設母屋に抱くように取り付けるＵ字状ボルトとからなり、適宜の位置の前記山形状受け具個所の幅方向両側に設けられた貫孔に、前記既設母屋を抱くようにして前記Ｕ字状ボルトの両端のネジ部が挿入されてナットにて締付け固定されることを特徴とする連続状屋根受け具としたことにより、前記課題を解決した。また、請求項２の発明においては、前述の構成において、前記既設母屋を方形状とし、該既設母屋の幅よりも、前記支持材の断面門形の間を僅かに大きくなるようにしてなることを特徴とする連続状屋根受け具としたことにより、前記課題を解決した。
【０００６】
請求項３の発明では、長手方向に長尺な断面門形の支持材と、該支持材の適宜の間隔をおいて固着した少なくとも３山以上の山形状受け具と、前記支持材に取り付けるＵ字状ボルトとからなる連続状屋根受け具が既設母屋上に載置され、適宜の位置の前記山形状受け具個所の幅方向両側に設けられた貫孔に、前記既設母屋を抱くようにして前記Ｕ字状ボルトの両端のネジ部が挿入されてナットにて締付けられ前記連続状屋根受け具が既設母屋上に固定されてなることを特徴とする連続状屋根受け具取付構造としたことにより、前記課題を解決したものである。
【０００７】
請求項４の発明では、前述の構成において、前記支持材の断面門形の垂下片間で且つ前記Ｕ字状ボルト個所であると共に、前記支持材と前記既設母屋との間に板片スペーサが介在されてなることを特徴とする連続状屋根受け具取付構造としたことにより、前記課題を解決した。また、請求項５の発明では、前述の構成において、前記板片スペーサと前記構造材との間に角材片スペーサを介在してなることを特徴とする連続状屋根受け具取付構造としたことにより、前記課題を解決したものである。
【発明の効果】
【０００８】
請求項１の発明においては、屋根葺き替え工事において、既設母屋の保護、火気厳禁、騒音防止を考慮して施工することができる。特に、屋根葺き替え工事が、夜間又は深夜の場合には、火気厳禁、騒音防止が必須となっている条件に良好に対応でき、且つ安全性にも対応できる。請求項２の発明においては、強固且つ整然施工できる連続状屋根受け具を提供できる。また、請求項３の発明では、屋根葺き替え工事において、既設母屋の保護、火気厳禁、騒音防止を考慮して連続状屋根受け具の取付施工ができる。請求項４の発明では、既設母屋上に高さの僅かな何等かの障害物が存在したとしても板片スペーサの存在にて良好なる取付施工ができる。さらに、請求項５の発明では、既設母屋上に高さが比較的高い何等かの障害物が存在したとしても、角材片スペーサの存在にて良好なる取付施工ができる利点がある。
【発明を実施するための最良の形態】
【０００９】
以下、本発明の実施形態について図面に基づいて説明する。
まず、第１実施形態としては、図１に示すように、屋根部材としての連続状屋根受け具である。該連続状屋根受け具は、長手方向に長尺な断面門形の支持材１と、該支持材の適宜の間隔をおいて固着された山形状受け具２と、前記支持材１を既設母屋１０に抱くように取り付けるＵ字状ボルト３とから構成されている。前記山形状受け具２は、少なくとも３個以上設けられている。図１においては、３個の該山形状受け具２が等間隔に設けられているが、場合によっては、６個乃至約１０個の該山形状受け具２が等間隔に設けられることもある。
【００１０】
前記支持材１は、図１，図３乃至５に示すように、断面門形をなし、水平頂面１ａと、幅方向両側の垂下片１ｂ，１ｂとして形成されている。また、前記支持材１の適宜の位置の該山形状受け具２個所の幅方向両側には貫孔４，４が穿設されている。図１及び２においては、１個おきに前記山形状受け具２個所に設けられている。また、強度を増加するように個々の該山形状受け具２個所に設けられることもある。さらに、前記Ｕ字状ボルト３は、Ｕ字状ボルト本体部３ａと、両端のネジ部３ｂ，３ｂと、ナット３ｃ，３ｃとからなっている。
【００１１】
前記山形状受け具２は、頂部２ａと、両垂下状部２ｂ，２ｂと、取付水平縁２ｃ，２ｃと、前記頂部２ａとから構成されている。また、必要に応じて剣先状ボルト２ｄが設けられることもある。前記取付水平縁２ｃ，２ｃが前記支持材１の水平頂面１ａ上に溶着されるのが通常であるが、予め固着されていればこれに限定されない。また、前記取付水平縁２ｃ，２ｃを設けないで前記両垂下状部２ｂ，２ｂの下端が予め直接固着されることもある。該垂下状部２ｂは、傾斜状に形成されることもある［図４（Ｂ）及び図５（Ｂ）参照］。
【００１２】
前記山形状受け具２の形状としては、門形を含む山形状をなしており、新設の凹凸状の金属製の屋根Ｒの種々の形状に対応できるものである。すなわち、図２及び図３（Ｃ）に示すように、嵌合タイプの金属製の屋根Ｒとしての屋根板状材Ｒ１とキャップ材Ｒ２とから構成されたり、重合タイプの金属製の屋根Ｒとしての折板材Ｒ３とから構成されたり、又は、馳締めタイプの金属製の屋根Ｒとしての折板材Ｒ４とから構成されている。また、前記既設母屋１０は断面方形状に形成されている。すると、該既設母屋１０の幅Ｌよりも、前記支持材１の断面門形の垂下片１ｂ，１ｂ間の幅Ｌ１が僅かに大きくなるように構成されている［図３（Ａ）参照］。
【００１３】
次に、前述の連続状屋根受け具を用いて、その取付構造について説明する。まず、図示しないが、現存するスレート屋根の現場において、そのスレート屋根板状材を既設母屋１０から外す。このとき、該既設母屋１０に対して損傷を与えないように剥がしを作業することは勿論である。剥がした状態の既設母屋１０には、３つの場合がある。第１は、既設母屋１０の上面が殆ど水平状をなしている場合、第２は、既設母屋１０の上面に僅かな高さの何等かの障害物が適宜存在している場合、第３は、既設母屋１０の上面に高さが比較的高い何等かの障害物が適宜存在している場合によって施工が異なる。
【００１４】
まず、第１の既設母屋１０の上面が殆ど水平状をなしている場合には、図４に示すように、前記既設母屋１０の上に直接に、少なくとも３個の以上の前記山形状受け具２を固着した連続状屋根受け具を載置する。そして、前記既設母屋１０を抱くようにして前記Ｕ字状ボルト３の両端のネジ部３ｂ，３ｂを挿入してナット３ｃ，３ｃを締付けて前記連続状屋根受け具を前記既設母屋１０に固定する。
【００１５】
また、第２の既設母屋１０の上面に僅かな高さの何等かの障害物が適宜存在している場合には、図５に示すように、板片スペーサ５を使う。つまり、該板片スペーサ５を前記Ｕ字状ボルト３箇所において支持材１と前記既設母屋１０との間に介在させ、その後は前述（既設母屋１０の上面が殆ど水平状をなしている場合）と同様に施工するものである。前記板片スペーサ５は、前記支持材１の断面門形の垂下片１ｂ，１ｂ間に収納される幅及び長さを有している。特に、僅かな高さの何等かの障害物の高さよりも、前記板片スペーサ５の高さが僅かでも高くなっていることが必要である。
【００１６】
次に、既設母屋１０の上面に高さが比較的高い何等かの障害物が適宜存在している場合には、板片スペーサ５及び角材片スペーサ６（図１乃至３参照）或いは角材片スペーサ６のみを使う。つまり、前記板片スペーサ５及び角材片スペーサ６或いは角材片スペーサ６を前記Ｕ字状ボルト３箇所において支持材１と前記既設母屋１０との間に介在させ、その後は前述（既設母屋１０の上面が殆ど水平状をなしている場合）と同様に施工するものである。特に、高さが比較的高い何等かの障害物の高さよりも、前記板片スペーサ５及び角材片スペーサ６或いは角材片スペーサ６が僅かでも高くなっていることが必要である。また、板片スペーサ５及び角材片スペーサ６とは、図３（Ｂ）点線に示すように、予めスポット的に溶着して外れにくくしておくこともある。
【図面の簡単な説明】
【００１７】
【図１】本発明の斜視図である。
【図２】（Ａ）は本発明に金属製の屋根を設けた要部正面図、（Ｂ）は（Ａ）の平面図である。
【図３】（Ａ）は図１のＸ−Ｘ矢視拡大断面図、（Ｂ）は支持材の上方から見た板片スペーサ及び角材片スペーサ個所の平面図、（Ｃ）は図２（Ａ）の要部拡大正面図である。
【図４】（Ａ）は本発明の別の実施形態の要部拡大断面図、（Ｂ）は（Ａ）個所に屋根を設けた要部正面図である。
【図５】（Ａ）は本発明のさらに別の実施形態の要部拡大断面図、（Ｂ）は（Ａ）個所に屋根を設けた要部正面図である。
【符号の説明】
【００１８】
１…支持材、１ａ…水平頂面、１ｂ…垂下片、２…山形状受け具、３…Ｕ字状ボルト、
４…貫孔、５…板片スペーサ、６…角材片スペーサ、１０…既設母屋、
【図１】
2007218033.tif 000003
【図２】
2007218033.tif 000004
【図３】
2007218033.tif 000005
【図４】
2007218033.tif 000006
【図５】
2007218033.tif 000007